(57)【要約】【課題】演算装置の負荷を軽減するとともに出力装置と警報窓間のケーブルの物量を削減することが可能な警報表示装置を得る。【解決手段】異常発生時に警報表示を行う照光式警報窓４と、監視対象のフィールドから警報信号を入力する入力装置１Ａ，１Ｂと、照光式警報窓４の各窓に対応させて警報信号を集約して出力する演算装置２と、演算装置２から出力される信号を用いて照光式警報窓４の警報種別に合せた所定の警報ロジックによる演算を行い、演算結果を照光式警報窓４に出力する出力装置３とを備え、演算装置２と入力装置１Ａ，１Ｂ間、及び、演算装置２と出力装置３間に、光変換ユニット１７Ａ，１７Ｂ，１７Ｃを備えている。【選択図】図１
2006260219.tif 000002
【特許請求の範囲】
【請求項１】
異常発生時に警報表示を行う複数の窓を有する照光式警報窓と、
監視対象からの警報信号を入力する入力装置と、
上記照光式警報窓の各窓に対応させて上記警報信号を出力する演算装置と、
上記演算装置から上記警報信号が入力されて、上記照光式警報窓の上記警報信号に対応する窓を警報状態に合わせた点灯種別で点灯させるための点灯指示信号を所定の警報ロジックによる演算で求め、上記点灯指示信号を上記照光式警報窓に出力する出力装置と
を備え、
上記演算装置と上記入力装置間、及び、上記演算装置と上記出力装置間を伝送ラインにより接続したことを特徴とする警報表示装置。
【請求項２】
上記照光式警報窓と上記出力装置とを一体化させてユニット化したことを特徴とする請求項１に記載の警報表示装置。
【請求項３】
上記出力装置に複数の警報ロジックを実装するとともに上記警報ロジックを選択するための選択スイッチを設け、
上記出力装置は、上記選択スイッチによって選択された上記警報ロジックを用いて上記演算を行うことを特徴とする請求項１または２に記載の警報表示装置。
【請求項４】
上記警報信号の重要度に応じて上記照光式警報窓の表示を色替えさせることを特徴とする請求項１ないし３のいずれか１項に記載の警報表示装置。
【請求項５】
警報音を発生する警報音発生手段をさらに備え、
上記出力装置は上記警報音発生手段に信号を出力するためのアラーム出力インターフェースを有することを特徴とする請求項１ないし４のいずれか１項に記載の警報表示装置。
【発明の詳細な説明】
【技術分野】
【０００１】
この発明は警報表示装置に関し、特に、プラントの中央制御盤等に設置される警報表示装置に関するものである。
【背景技術】
【０００２】
従来の警報表示装置においては、プラントを構成している種々の機器に異常が発生した際には、演算装置がプラントの監視用計算機１６からの信号を受けて演算処理を行って、該当する警報項目の名称を刻印した警報窓を点滅または点灯させるとともに、ブザーによる異常告知を行っている（例えば、特許文献１参照。）。
【０００３】
さらに、別の従来の装置においては、プラント監視手段１（演算装置）により、プラントからの各種プロセス信号が読み込まれ、読み込まれたプロセス信号について警報域か否かの演算処理が演算装置によって行なわれる。演算処理の結果、警報域であれば、監視盤上の警報窓２に警報窓出力情報を出し警報窓２を点灯させる（例えば、特許文献２参照。）。
【０００４】
【特許文献１】特開平７−２２５８８８号公報
【特許文献２】特開平８−１０６３２２号公報
【発明の開示】
【発明が解決しようとする課題】
【０００５】
特許文献１および２に記載されている従来装置においては、警報窓数分の演算処理をすべて演算装置で行うため、演算装置の負荷が大きいという問題点があった。
【０００６】
また、現在使用中の警報装置を新しいものに更新した結果、警報窓の個数が増えてしまう場合を想定すると、現在用いている演算装置ではすべての警報窓数分の演算処理をまかないきれずに、演算装置の台数を増やす必要がでてくる可能性がある。その場合には、演算装置を増やすことに伴う設置スペースの確保が必要となるという問題点があった。
【０００７】
また、警報窓の１つ１つに対してケーブルを配設する必要があるため、警報窓の個数が多い場合には、ケーブルの配線スペースの確保も必要になる等の問題点があった。
【０００８】
この発明はかかる問題点を解決するためになされたものであり、演算装置の負荷を軽減するとともに警報窓に接続されるケーブルの物量を削減することが可能な警報表示装置を得ることを目的とする。
【課題を解決するための手段】
【０００９】
この発明は、異常発生時に警報表示を行う複数の窓を有する照光式警報窓と、監視対象からの警報信号を入力する入力装置と、上記照光式警報窓の各窓に対応させて上記警報信号を出力する演算装置と、上記演算装置から上記警報信号が入力されて、上記照光式警報窓の上記警報信号に対応する窓を警報状態に合わせた点灯種別で点灯させるための点灯指示信号を所定の警報ロジックによる演算で求め、上記点灯指示信号を上記照光式警報窓に出力する出力装置とを備え、上記演算装置と上記入力装置間、及び、上記演算装置と上記出力装置間を伝送ラインにより接続したことを特徴とする警報表示装置である。
【発明の効果】
【００１０】
この発明は、異常発生時に警報表示を行う複数の窓を有する照光式警報窓と、監視対象からの警報信号を入力する入力装置と、上記照光式警報窓の各窓に対応させて上記警報信号を出力する演算装置と、上記演算装置から上記警報信号が入力されて、上記照光式警報窓の上記警報信号に対応する窓を警報状態に合わせた点灯種別で点灯させるための点灯指示信号を所定の警報ロジックによる演算で求め、上記点灯指示信号を上記照光式警報窓に出力する出力装置とを備え、上記演算装置と上記入力装置間、及び、上記演算装置と上記出力装置間を伝送ラインにより接続したことを特徴とする警報表示装置である。このように、演算装置で従来行っていた警報ロジック演算を出力装置で行うようにしたため、演算装置の負荷を軽減することができる。また、出力装置を小型化し、通信インターフェースを設けたことにより、演算装置と出力装置との間を伝送ラインで接続し、出力装置を照光式警報窓近傍に設けることが可能となるため、出力装置と照光式警報窓間のケーブルの物量を削減することが可能となる。
【発明を実施するための最良の形態】
【００１１】
実施の形態１．
以下、この発明の実施の形態１に係る警報表示装置を図１に基づいて説明する。図１に示すように、プラント（フィールド）内に設置した各種のセンサや制御機器あるいはアクチュエータからの警報信号５が入力される現場入力盤１００と、現場入力盤１００に接続されて、関連する警報信号を集約して照光式警報窓に対応している出力装置に信号を出力する演算装置盤１０１と、現場入力盤１００及び演算装置盤１０１に接続されて、照光式警報窓４を備えて、当該照光式警報窓４の警報種別に合わせた警報ロジック演算機能を有した出力装置３を備えた中央制御盤１０２とが設けられている。なお、ここで、照光式警報窓４とは、ランプ式警報窓、ＬＥＤ式警報窓や液晶式警報窓等の点灯可能な任意の種類の警報窓を含むものとする。
【００１２】
現場入力盤１００には、図１に示すように、警報信号５をフィールドから入力するための入力装置１Ｂと、入力装置１Ｂから出力される電気信号を光信号に変換するための光変換ユニット１７Ｂとが設けられている。光変換ユニット１７Ｂは、光ケーブル３０及び後述する光変換ユニット１７Ａを介して、演算装置盤１０１内に設けられている演算装置２に接続されている。
【００１３】
また、演算装置盤１０１には、図１に示すように、中央制御盤１０２に設けられている警報リセットスイッチ６からの信号が入力される入力装置１Ａと、演算装置２と、演算装置２から出力される電気信号を光信号に変換するための光変換ユニット１７Ａとが設けられている。演算装置２は、入力装置１Ａを経由して警報リセットスイッチ６からの信号が入力されるとともに、入力装置１Ｂを経由して警報信号５とが入力されて、それらの信号を集約して中央制御盤１０２内に設けられている出力装置３に出力する。また、光変換ユニット１７Ａは、光ケーブル３０及び後述する光変換ユニット１７Ｃを介して、中央制御盤１０２内に設けられている出力装置３に接続されている。
【００１４】
また、中央制御盤１０２の表面には、図１に示すように、警報状態を表示する照光式警報窓４と、警報信号５のリセットを行うための押しボタン式の警報リセットスイッチ６とが設けられている。また、中央制御盤１０２内には、照光式警報窓４に接続された出力装置３と、出力装置３と光変換ユニット１７Ａとを光ケーブル３０を介して接続している光変換ユニット１７Ｃとが設けられている。なお、照光式警報窓４と出力装置３間は、盤内ハードワイヤードケーブル３１により接続されており、警報リセットスイッチ６と入力装置１Ａとは信号線３３により接続されている。
【００１５】
出力装置３は、図２に示すように、照光式警報窓４の各窓４−１，・・・，４−ｎ（ｎは、窓の個数）に対応して設けられているｎ個の警報ロジック演算部７とｎ個の窓出力インターフェース１６とが設けられている。警報窓毎に対応している警報ロジック演算部７には、演算装置２と独立した演算処理機能を持っており、演算装置２から送信された信号により、照光式警報窓の警報種別に合わせて予め設定されている所定の警報ロジック演算を行って、その結果を各窓に接続されている窓出力インターフェース１６に出力する。窓出力インターフェース１６は、当該結果に基づく出力を行って、照光式警報窓の各窓４−１，・・・，４−ｎを、高速点滅、低速点滅、連続点灯、あるいは、消灯させて、警報告知を行う。尚、警報ロジックとは、警報種別により告知形態の異なる表示方式を決定するロジックであり、告知形態が同じであれば、同一の警報ロジックを設ける。
【００１６】
なお、警報信号５は照光式警報窓４の各窓４−１，・・・，４−ｎに対応しており、警報リセットスイッチ６からの信号は照光式警報窓４の窓群４−１，・・・，４−ｎに対応している。
【００１７】
このように、本実施の形態においては、現場入力盤１００の入力装置１Ｂは、警報信号５の近傍に配置し、演算装置２と入力装置１Ｂとの間、及び、演算装置２と出力装置３との間は、光による伝送が可能な構成とし、そのための通信インターフェースである光変換ユニット１７Ａ，１７Ｂ，１７Ｃを具備している。演算装置２は、プラント内の配置し易い場所に設置する。演算装置２が設置された近傍の故障入力点については、入力装置１Ａに入力し、演算装置盤１０１内の伝送ライン３２経由で演算装置２に接続される。また、出力装置３は、照光式警報窓４の近傍に配置され、中央制御盤１０２内に収納されている。
【００１８】
次に動作について説明する。警報信号５及び警報リセットスイッチ６からの信号は、入力装置１Ａ、１Ｂを経由して、伝送により演算装置２に入力される。演算装置２では、照光式警報窓４の各窓に対応した警報信号５と窓群に対応した警報リセットスイッチ６からの信号をロジック処理し、光ケーブル３０を介して、出力装置３に出力する。ここで、図２に示すように、出力装置３は、演算装置２から送信された上記信号を用い、あらかじめ設けられている警報ロジック演算部７による警報ロジック演算により、照光式警報窓４の窓毎に演算を行い、出力装置３に接続されている照光式警報窓４にその結果を、窓出力インターフェース１６を経由して出力する。この出力により照光式警報窓４は高速点滅、低速点滅、連続点灯、あるいは、消灯させて、警報告知を行う。具体的には、フィールドから警報信号５の入力が入力装置１Ｂにあった場合には、演算装置２を介して、警報ロジック演算部７に当該警報信号が入力される。これを受けて、警報ロジック演算部７は、入力された警報信号５に対応している窓を警報状態に合わせた点灯方法（高速点滅、低速点滅、連続点灯のいずれか）で点灯させるように、窓出力インターフェース１６経由で、窓に信号を出力する。一方、照光式警報窓４の点灯により警報状態が確認されると、オペレータが警報リセットスイッチ６を押下する。これにより、警報リセットスイッチ６からの信号が入力装置１Ａおよび演算装置２を介して警報ロジック演算部７に入力される。これを受けて、警報ロジック演算部７は、入力された警報リセットスイッチ６に基づいて、各窓を消灯させるように、窓出力インターフェース１６経由で、各窓に信号を出力する。
【００１９】
以上のように、本実施の形態によれば、従来は演算装置２で実施していた警報ロジック演算を出力装置３内で実施する手段（警報ロジック演算部７）を設け、また、出力装置を小型化し、通信インターフェースを設けたことにより演算装置２と出力装置３間に伝送を適用する（具体的には、光ケーブル３０で接続する）ようにしたので、出力装置３を照光式警報窓４近傍に設けることを可能にした。このようにして、演算装置２の負荷を出力装置３に分散させることで、演算装置２の負荷を軽減できるので、演算装置の小型化が図れる。また、演算装置２の負荷が軽減したので、照光式警報窓４の窓数増加に伴う負荷増大に対応させるために演算装置の台数を増やすことを抑制することができ、結果として、省スペース化を図ることができる。また、出力装置３と照光式警報窓４間の距離が短くできるので、それらを接続するための盤内ハードワイヤードケーブル３１の物量を大幅に削減することができる。
【００２０】
実施の形態２．
上記の実施の形態１では、出力装置３と照光式警報窓４を別々に中央制御盤１０２内に設置する場合について述べたが、照光式警報窓４の裏面にスペース的に余裕のある場合は、図３に示すように、出力装置３と照光式警報窓４とを同一ユニット内に配置した警報窓ユニット８を設けるようにしてもよい。
【００２１】
このように、一体化した警報窓ユニット８を設けることにより、中央制御盤１０２内の盤内ハードワイヤードケーブル（図１の符号３１参照）を削減することができ、実装の効率化が期待できる。なお、他の構成については、図１と同じであるため、同一符号を付して示し、ここでは説明を省略する。
【００２２】
警報窓ユニット８の概略図として、図４（ａ）に正面図、図４（ｂ）に側面図を示す。図４（ａ）の正面図に示すように、照光式警報窓４の各窓４−１，・・・，４−ｎが、警報窓ユニット８の表面に設けられている。また、図４（ｂ）の側面図に示すように、照光式警報窓４の裏面に、直接、出力装置３が取り付けられている。このように、直接、出力装置３を設けることにより、これらを同一ユニットとして取り扱う事が可能となる。
【００２３】
以上のように、本実施の形態によれば、上記の実施の形態１と同様の効果が得られるとともに、さらに、出力装置３と照光式警報窓４とを一体化させるようにしたので、出力装置３と照光式警報窓４の全体の小型化が図れるとともに、盤内ハードワイヤードケーブルを削減することができる。
【００２４】
実施の形態３．
この発明の本実施の形態に係る警報表示装置における出力装置３の構成を図５（ａ）に示す。図５（ａ）に示すように、本実施の形態における出力装置３には、警報ロジックを選択するためのロジック選択スイッチ９と、ロジック選択スイッチ９に接続されて、選択されたロジックを指定するための信号を出力するロジック１選択部１１−１，ロジック２選択部１１−２，・・・，ロジックｍ選択部１１−ｍとが設けられている。さらに、それらのロジック選択部からの信号を受けて、演算装置２から入力された警報信号５を用いて指定された警報ロジック演算を行う警報ロジック演算部１０が設けられている。また、警報ロジック演算部１０の演算結果を照光式警報窓４に出力する演算結果出力部１２と、演算装置２から警報信号５が入力される警報信号入力部１３とが設けられている。他の構成については、図１〜図４と同様であるため、ここではその説明を省略する。
【００２５】
なお、上記の実施の形態１及び２では、出力装置３に実装する警報ロジック演算部７が１種類の場合について述べたが、通常のプラントでは、例えば照光式警報窓４が実装されている中央制御盤１０２毎に警報の種類が異なる。その為、警報の種類毎に、それぞれの警報ロジック演算部７を実装した出力装置３を設けることも可能であるが、そうした場合、各々の警報の種類毎に出力装置３の種類が増える為、設計、製造、保守の負担の増加につながる。
【００２６】
この対策として、本実施の形態においては、各々の警報の種類に対応可能なように、図５（ａ）に示すように、複数の種類の警報信号５の到来に対応した警報ロジック演算部１０を出力装置３にあらかじめ実装しておき、出力装置３にロジック選択スイッチ９を設け、ロジック選択スイッチ９の切替により異なる警報ロジック演算を選択できるようにしておく。こうすることにより、ロジック選択スイッチ９の切替で、ロジック１選択部１１−１，ロジック２選択部１１−２，・・・，ロジックｍ選択部１１−ｍのいずれか１つが選択されて、そこから信号が出力されるので、警報ロジック演算部１０は当該信号を受信して、それに基づいた警報ロジックを選択する。これにより、警報ロジック演算部１０において所望の警報ロジック演算がなされ、その演算結果が、演算結果出力部１２を介して照光式警報窓４に出力される。
【００２７】
尚、ロジック選択スイッチ９の処理の流れを図５（ｂ）に示す。図５（ｂ）に示すように、まず、警報信号入力部１３に警報信号５が入力されて（ステップＳ１）、それに応じたロジック選択がロジック選択スイッチ９により成される（ステップＳ２）。選択スイッチに対応した警報ロジック演算が警報ロジック演算部１０において成され（ステップＳ３）、演算結果出力部１２により演算結果出力が成される（ステップＳ４）。
【００２８】
以上のように、本実施の形態においては、上記の実施の形態１および２と同様の効果が得られるとともに、さらに、警報信号５の種類が複数個ある場合に備えて、複数の種類の警報信号も対応した複数の警報ロジック演算を予め備えた警報ロジック演算部１０を設けるとともに警報ロジックを選択するロジック選択スイッチ９を設けて、ロジック選択スイッチの切り替えにより、所望の警報ロジック演算が行えるようにしたので、出力装置３の共用化が図れ、保守用予備品の統一化の面でも有効な装置を得ることができる。
【００２９】
実施の形態４．
この発明の本実施の形態に係る警報表示装置における演算装置２と警報窓ユニット８との構成を図６に示す。なお、図６は、図３の構成に本実施の形態を適用させた例を示しているが、その場合に限らず、他の実施の形態の構成にも本実施の形態は適用可能である。図６に示すように、本実施の形態においては、演算装置２に、警報信号５を出力する警報信号出力部２０と、重要度に応じた色分け付加情報を生成する複数の警報窓重要度付加部２１−１および２１−２とが設けられている。警報窓重要度付加部は色分け毎に異なるロジック演算が必要となる為、それぞれの色に対応できる様、複数有しており、色分けに応じたロジック処理を行う。また、警報ロジック演算部の共通化を図るため、警報窓毎に異なるロジック処理を行う警報窓重要度付加部は演算装置２に設ける。また、警報窓ユニット８の出力装置３には、警報ロジック演算部２２と、照光式警報窓４に赤色表示をさせる信号を出力する出力１（赤）部２３−１と、照光式警報窓４に緑色表示をさせる信号を出力する出力２（緑）部２３−２とが設けられている。警報ロジック演算部２２は、上記の実施の形態１〜３と同様の警報ロジック演算を行うとともに、警報窓重要度付加部２１−１または２１−２によって付加される色分け付加情報に基づいて重要度を示す信号を出力する重要度１出力部２２−１，重要度２出力部２２−２，重要度３出力部２２−３とが設けられている。また、これらは照光式警報窓毎に対応するように設けられている。
【００３０】
なお、上記実施の形態１〜３では、出力装置３から照光式警報窓４への出力を１点（単色出力）とする場合について述べたが、複数の警報信号５が入力され、その警報告知において優先順位を付けたい場合は、図６に示すように、演算装置２において、それぞれの警報信号５とは別に、重要度に応じた色分け付加情報１２を警報窓重要度付加部２１−１および２１−２で生成して出力装置３に伝送し、その色分け付加情報１２を用いた警報ロジック演算を警報ロジック演算部２２にて行い、出力１（赤）部２３−１及び出力２（緑）部２３−２により、色分け可能な複数の出力に割り付けることで、重要度に応じた照光式警報窓４の色替えが可能となり、色による緊急度を表現した警報告知が可能となる。具体的には、出力１（赤）部２３−１からのみ信号が出力される場合には、照光式警報窓４が赤色で表示（高速点滅、低速点滅、連続点灯）を行う。また、出力２（緑）部２３−２からのみ信号が出力される場合には、照光式警報窓４が緑色で表示（高速点滅、低速点滅、連続点灯）を行う。さらに、出力１（赤）部２３−１および出力２（緑）部２３−２の両方から信号が出力される場合には、照光式警報窓４が黄色で表示（高速点滅、低速点滅、連続点灯）を行う。従って、最も重要度が高い場合を赤、２番目に重要度が高い場合を黄色、最も重要度が低い場合を緑というように予め色を決めておけば、色による緊急度を表現した警報告知が可能となり、オペレータにとって分かりやすい表示を行うことができる。
【００３１】
以上のように、本実施の形態によれば、上記の実施の形態１〜３と同様の効果が得られるとともに、さらに、演算装置２において、それぞれの警報信号５とは別に、重要度に応じた色分け付加情報１２を警報窓重要度付加部２１−１および２１−２で生成して出力装置３に伝送し、その色分け付加情報１２を用いた警報ロジック演算を警報ロジック演算部２２にて行い、出力１（赤）部２３−１及び出力２（緑）部２３−２により、色分け可能な複数の出力に割り付けることで、重要度に応じた照光式警報窓４の色替えが可能となり、色による緊急度を表現した警報告知が可能となるようにしたので、オペレータに対して色による分かりやすい表示を行うことができる。
【００３２】
実施の形態５．
この発明の本実施の形態に係る警報表示装置における警報窓ユニットの構成を図７に示す。また、本実施の形態に係る警報表示装置の全体に構成を図８に示す。図８と実施の形態２における図３の構成との違いは、アラーム発生手段であるスピーカ４１と、スピーカ４１のアラーム発呼動作の制御を行う吹鳴装置４０とが追加されていることである。但し、本実施の形態においては、図２の出力装置３の構成に加えて、ｎ個のアラーム出力インターフェース４２が、窓出力インターフェース１６と並列に設けられている。なお、スピーカ４１は、スピーカに限定されるものではなく、例えば、サイレン、ブザー、ベルなどの警報音を発生する他の機器でもよいものとする。
【００３３】
上記実施の形態１〜４では、出力装置３からの出力先を照光式警報窓４のみの場合について述べたが、図７に示すように、警報ロジック演算部７において、照光式警報窓４への出力演算だけでなく、照光式警報窓４の表示状態に応じたアラーム出力を行う演算ロジックとその結果を出力するアラーム出力インターフェース４２を出力装置３に実装して、吹鳴装置４０及びスピーカ４１に接続することにより、警報の状態、優先順位（重要度）を視覚だけでなく、聴覚においても告知可能な警報表示装置を得ることができる。
【００３４】
以上のように、本実施の形態においては、スピーカ４１も設けて、警報の状態、優先順位（重要度）を、照光式警報窓４による視覚だけでなく、聴覚においても告知可能な構成にしたので、より分かりやすく、オペレータに、警報を告知することができる。
【図面の簡単な説明】
【００３５】
【図１】この発明の実施の形態１に係る警報表示装置の構成を示す構成図である。
【図２】この発明の実施の形態１に係る警報表示装置における出力装置の構成を示した構成図である。
【図３】この発明の実施の形態２に係る警報表示装置の構成を示す構成図である。
【図４】この発明の実施の形態２に係る警報表示装置における警報窓ユニットの（ａ）正面図、および、（ｂ）側面図である。
【図５】この発明の実施の形態３に係る警報表示装置における出力装置の（ａ）構成を示した説明図、および、（ｂ）処理の流れを示した流れ図である。
【図６】この発明の実施の形態４に係る警報表示装置における演算装置と警報窓ユニットとの構成を示した構成図である。
【図７】この発明の実施の形態５に係る警報表示装置における警報窓ユニットの構成を示した構成図である。
【図８】この発明の実施の形態５に係る警報表示装置の構成を示す構成図である。
【符号の説明】
【００３６】
１Ａ，１Ｂ  入力装置、２  演算装置、３  出力装置、４  照光式警報窓、５  警報信号、６  警報リセットスイッチ、７  警報ロジック演算部、８  警報窓ユニット、９  ロジック選択スイッチ、１０  警報ロジック演算部、１１−１  ロジック１選択部、１１−２  ロジック２選択部、１１−ｎ  ロジックｎ選択部、１２  演算結果出力部、１３  警報信号入力部、１６  窓出力インターフェース、１７Ａ，１７Ｂ，１７Ｃ  光変換ユニット、２０  警報信号出力部、２１−１  警報窓重要度付加部、２１−２  警報窓重要度付加部、２２  警報ロジック演算部、２２−１  重要度１出力部、２２−２  重要度２出力部、２２−３  重要度３出力部、２３−１  出力１（赤）部、２３−２  出力２（緑）部、３１  盤内ハードワイヤードケーブル、４０  吹鳴装置、４１  スピーカ、４２  アラーム出力インターフェース、１００  現場入力盤、１０１  演算装置盤、１０２  中央制御盤。
【図１】
2006260219.tif 000003
【図２】
2006260219.tif 000004
【図３】
2006260219.tif 000005
【図４】
2006260219.tif 000006
【図５】
2006260219.tif 000007
【図６】
2006260219.tif 000008
【図７】
2006260219.tif 000009
【図８】
2006260219.tif 000010